(57)【要約】【課題】連写撮影と音声付動画撮影の欠点を解消する。【解決手段】スルー画像を表示し（Ｓ１０１）、シャッターキーが押下されたならば（Ｓ１０２；ＹＥＳ）、音声録音を開始する（Ｓ１０３）。また、静止画撮影処理を開始し（Ｓ１０４）、ＣＣＤにより撮像された被写体の静止画データをバッファメモリに一時保存させる。シャッターキーの押下を継続すると、Ｓ１０４〜Ｓ１０６のループが複数回実行され、時間的に連続した複数枚の静止画データがバッファメモリ１１に一時保存される。シャッターキーから指を離すと連写か否かを判断する（Ｓ１０７）。連写であった場合には、音声録音を停止した後（Ｓ１０８）、画像データ毎の複数の静止画ファイル及び１つの音声ファイルを作成する（Ｓ１０９）。そして、当該連写グループに属する複数の静止画ファイル及び１つの音声ファイルを関連付けて保存メモリに記録する（Ｓ１１０）。【選択図】　　　　図２
2004088518.tif 000002
【特許請求の範囲】
【請求項１】
記録装置と再生装置とを備える撮像記録装置であって、
前記記録装置は、音声を検出する音声検出手段と、
この音声検出手段により検出された音声に基づき１つの音声ファイルを作成する音声ファイル作成手段と、
被写体を撮像する撮像手段と、
この撮像手段により撮像された時間的に連続する複数の静止画毎に、静止画ファイルを作成する静止画ファイル作成手段と、
前記音声ファイル作成手段により作成された１つの音声ファイルと前記静止画ファイル作成手段により作成された複数の静止画ファイルとを関連付けて記録する記録手段とを備え、
前記再生装置は、前記記録手段に記録されている複数の静止画ファイルに基づく画像を順次切り換えて再生表示する画像再生手段と、
この画像再生手段により再生される静止画ファイルと関連付けられて前記記録手段に記録されている１つの音声ファイルに基づき、音声を再生する音声再生手段と、
を備えることを特徴とする撮像記録装置。
【請求項２】
音声を検出する音声検出手段と、
この音声検出手段により検出された音声に基づき１つの音声ファイルを作成する音声ファイル作成手段と、
被写体を撮像する撮像手段と、
この撮像手段により撮像された時間的に連続する複数の静止画毎に、静止画ファイルを作成する静止画ファイル作成手段と、
前記音声ファイル作成手段により作成された１つの音声ファイルと前記静止画ファイル作成手段により作成された複数の静止画ファイルとを関連付けて記録する記録手段と、
を備えることを特徴とする撮像記録装置。
【請求項３】
前記記録手段は、前記複数の静止画ファイル及び１つの音声ファイルのうちの少なくとも１つのファイル中に、前記静止画ファイルの再生時間間隔を示す情報を挿入して記録することを特徴とする請求項２記載の撮像記録装置。
【請求項４】
前記記録手段は、前記複数の静止画ファイルのいずれか１つのファイル名を前記音声ファイルのファイル名と同一とすることにより、両者を関連付けることを特徴とする請求項２又は３記載の撮像記録装置。
【請求項５】
複数の静止画ファイルと１つの音声ファイルとを関連付けて記録する記録手段と、
この記録手段に記録されている複数の静止画ファイルに基づく画像を順次切り換えて再生表示する画像再生手段と、
この画像再生手段により再生表示される静止画ファイルと関連付けられて前記記録手段に記録されている１つの音声ファイルに基づき、音声を再生する音声再生手段と、
を備えることを特徴とする画像再生装置。
【請求項６】
前記画像再生手段は、前記複数の静止画ファイル及び１つの音声ファイルのうちの少なくとも１つのファイル中に含まれている前記静止画ファイルの再生時間間隔を示す情報に基づき、該静止画ファイルの切り換え再生タイミングを制御することを特徴とする請求項５記載の画像再生装置。
【請求項７】
前記画像再生手段と前記音声再生手段とは、前記静止画ファイルに基づく画像が表示されている状態におけるユーザによる音声再生指示に応答して、前記複数の静止画ファイルに基づく画像の再生表示と音声ファイルに基づく音声の再生とを開始することを特徴とする請求項５又は６記載の画像再生装置。
【請求項８】
記録装置と再生装置とを備える撮像記録装置であって、
前記記録装置は、音声を検出する音声検出手段と、
被写体を撮像する撮像手段と、
この撮像手段により撮像された時間的に連続する複数の静止画毎に、静止画ファイルを作成する静止画ファイル作成手段と、
前記音声検出手段により検出された音声と、前記時間的に連続する複数の静止画とに基づき、１つの音声付き動画ファイルを作成する音声付き動画ファイル作成手段と、
前記静止画ファイル作成手段により作成された複数の静止画ファイルと前記音声付き動画ファイル作成手段により作成された１つの音声付き動画ファイルとを関連付けて記録する記録手段とを備え、
前記再生装置は、前記記録手段に記録されている複数の静止画ファイルに基づく連写画像を表示する場合、この静止画ファイルと関連付けられて前記記録手段に記録されている１つの音声付き動画ファイルに基づき、画像と音声とを再生する再生手段を備えることを特徴とする撮像記録装置。
【請求項９】
音声を検出する音声検出手段と、
被写体を撮像する撮像手段と、
この撮像手段により撮像された時間的に連続する複数の静止画毎に、静止画ファイルを作成する静止画ファイル作成手段と、
前記音声検出手段により検出された音声と、前記時間的に連続する複数の静止画とに基づき、１つの音声付き動画ファイルを作成する音声付き動画ファイル作成手段と、
前記静止画ファイル作成手段により作成された複数の静止画ファイルと前記音声付き動画ファイル作成手段により作成された１つの音声付き動画ファイルとを関連付けて記録する記録手段と、
を備えることを特徴とする撮像記録装置。
【請求項１０】
前記記録手段は、前記複数の静止画ファイルのいずれか１つのファイル名を前記音声付き動画ファイルのファイル名と同一とすることにより、両者を関連付けることを特徴とする請求項９記載の撮像記録装置。
【請求項１１】
時間的に連続する複数の静止画毎に作成された複数の静止画ファイルと、前記時間的に連続する複数の静止画と音声とに基づき作成された１つの音声付き動画ファイルとが関連付けられて記録された記録手段を備えた画像再生装置であって、
前記記録手段に記録されている複数の静止画ファイルに基づく連写画像を表示する場合、この静止画ファイルと関連付けられている前記１つの音声付き動画ファイルに基づき、画像と音声とを再生する再生手段を備えることを特徴とする画像再生装置。
【請求項１２】
前記再生手段は、前記静止画ファイルに基づく画像が表示されている状態におけるユーザによる音声再生指示に応答して、音声付き動画ファイルに基づき、前記画像と音声の再生を開始することを特徴とする請求項１１記載の画像再生装置。
【請求項１３】
音声を検出する音声検出手段と、被写体を撮像する撮像手段とを備える撮像記録装置が有するコンピュータを、
前記音声検出手段により検出された音声に基づき１つの音声ファイルを作成する音声ファイル作成手段と、
前記撮像手段により撮像された時間的に連続する複数の静止画毎に、静止画ファイルを作成する静止画ファイル作成手段と、
前記音声ファイル作成手段により作成された１つの音声ファイルと前記静止画ファイル作成手段により作成された複数の静止画ファイルとを関連付けて記録させる記録制御手段と、
して機能させることを特徴とするプログラム。
【請求項１４】
画像再生装置が有するコンピュータを、
記録手段に記録されている複数の静止画ファイルに基づく画像を順次切り換えて再生表示させる画像再生制御手段と、
この画像再生制御手段により再生表示される静止画ファイルと関連付けられて前記記録手段に記録されている１つの音声ファイルに基づき、音声を再生させる音声再生制御手段と、
して機能させることを特徴とするプログラム。
【請求項１５】
音声を検出する音声検出手段と、被写体を撮像する撮像手段とを備える撮像記録装置が有するコンピュータを、
前記撮像手段により撮像された時間的に連続する複数の静止画毎に、静止画ファイルを作成する静止画ファイル作成手段と、
前記音声検出手段により検出された音声と、前記時間的に連続する複数の静止画とに基づき、１つの音声付き動画ファイルを作成する音声付き動画ファイル作成手段と、
前記静止画ファイル作成手段により作成された複数の静止画ファイルと前記音声付き動画ファイル作成手段により作成された１つの音声付き動画ファイルとを関連付けて記録させる記録制御手段と、
して機能させることを特徴とするプログラム。
【請求項１６】
時間的に連続する複数の静止画毎に作成された複数の静止画ファイルと、前記時間的に連続する複数の静止画と音声とに基づき作成された１つの音声付き動画ファイルとが関連付けられて記録された記録手段を備えた画像再生装置が有するコンピュータを、
前記記録手段に記録されている複数の静止画ファイルに基づく連写画像を表示する場合、この静止画ファイルと関連付けられている前記１つの音声付き動画ファイルに基づき、画像と音声とを再生させる再生制御手段として機能させることを特徴とするプログラム。
【発明の詳細な説明】
【０００１】
【発明の属する技術分野】
【０００２】
本発明は、撮像記録装置、画像再生装置及び画像記録再生制御プログラムに関する。
【０００３】
【従来の技術】
【０００４】
近年の撮像記録装置の一種である電子スチルカメラにおいては、連写撮影機能を具備したもの、あるいは音声付動画撮影機能を具備したものが出現するに至っている。連写撮影機能を具備した電子スチルカメラにあっては、通常の単写撮影時と同様に画像処理を行って、時間的に連続した複数枚の静止画データを生成して記録する。再生時には、これら記録した時間的に連続する複数枚の静止画データに基づき順次画像を切り換え表示することにより、擬似的な動画表示を行う。
また、音声付動画撮影機能を具備した電子スチルカメラにあっては、撮影指示操作に応答して周囲の音声を取り込んで音声データを記録するとともに、動画データを生成して記録する。このとき、メモリの記憶容量や撮影スピードを考慮して、画像データを構成する各静止画データは間引きされてデータ量を削減して記録する。再生時には、音声データに基づく音声と動画データに基づく動画とを同期させることにより、音声付動画の再生が可能となる。
【０００５】
【発明が解決しようとする課題】
【０００６】
前記連写撮影機能にあっては、通常の単写撮影時と同様の画像処理を行って複数枚の静止画データを記録することから、これら複数枚の静止画データ（連写画像）を擬似的な動画として再生した際に高画質の画像を表示でき、また、静止画として表示させた際にも高画質となる反面、音声データは記録されていないので音声を再生することができない欠点がある。
これに対し、音声付動画撮影機能を用いて撮影され記録された動画データには、音声データが関連付けて記録されていることから、動画再生と同時に音声を再生できる反面、動画データを構成する各静止画データは間引きされたものであることから、動画として再生した際の画質は悪く、また、静止画として表示させた際にも低画質となってしまう欠点がある。
【０００７】
本発明は、かかる実情に鑑みてなされたものであり、連写撮影と音声付動画撮影の欠点を解消したカメラ、画像再生装置及びこれらを実現するためのプログラムを提供することを目的とするものである。
【０００８】
【課題を解決するための手段】
【０００９】
前記課題を解決するために請求項１に係る発明は、記録装置と再生装置とを備える撮像記録装置であって、前記記録装置は、音声を検出する音声検出手段と、この音声検出手段により検出された音声に基づき１つの音声ファイルを作成する音声ファイル作成手段と、被写体を撮像する撮像手段と、この撮像手段により撮像された時間的に連続する複数の静止画毎に、静止画ファイルを作成する静止画ファイル作成手段と、前記音声ファイル作成手段により作成された１つの音声ファイルと前記静止画ファイル作成手段により作成された複数の静止画ファイルとを関連付けて記録する記録手段とを備え、前記再生装置は、前記記録手段に記録されている複数の静止画ファイルに基づく画像を順次切り換えて再生表示する画像再生手段と、この画像再生手段により再生される静止画ファイルと関連付けられて前記記録手段に記録されている１つの音声ファイルに基づき、音声を再生する音声再生手段とを備える。
【００１０】
したがって、記録時に記録装置が動作すると、検出された音声に基づき１つの音声ファイルが作成されるとともに、時間的に連続する複数の静止画毎に静止画ファイルが作成され、１つの音声ファイルと複数の静止画ファイルとが関連付けられて記録される。そして、再生時に再生装置が動作すると、複数の静止画ファイルに基づく画像が順次切り換えて再生表示されることにより、擬似的な動画が表示される。また、再生される静止画ファイルと関連付けられている１つの音声ファイルに基づき、音声が再生されることにより、音声付きの疑似的な動画となる。この擬似的な動画を構成する各静止画は、静止画のデータを間引きすることなく作成された静止画ファイルに基づくものであって、充分な画像データサイズを有することから、高画質で擬似的な動画を表示することができ、静止画を表示させた際にも高画質となる。したがって、音声付きで高画質の擬似的な動画を表示し、あるいは高画質の静止画を表示させることができる。
【００１１】
また、請求項２の発明に係る撮像記録装置にあっては、音声を検出する音声検出手段と、この音声検出手段により検出された音声に基づき１つの音声ファイルを作成する音声ファイル作成手段と、被写体を撮像する撮像手段と、この撮像手段により撮像された時間的に連続する複数の静止画毎に、静止画ファイルを作成する静止画ファイル作成手段と、前記音声ファイル作成手段により作成された１つの音声ファイルと前記静止画ファイル作成手段により作成された複数の静止画ファイルとを関連付けて記録する記録手段とを備える。
【００１２】
したがって、検出された音声に基づき１つの音声ファイルが作成されるとともに、時間的に連続する複数の静止画毎に静止画ファイルが作成され、１つの音声ファイルと複数の静止画ファイルとが関連付けられて記録される。複数の静止画ファイルは、静止画のデータを間引きすることなく作成でき、充分な画像データサイズを有することから、高画質で擬似的な動画を表示することができ、静止画を表示させた際にも高画質となる。したがって、音声付きで高画質の擬似的な動画を表示し、あるいは高画質の静止画を表示させることができる画像及び音声の記録が可能となる。
【００１３】
また、請求項３に係る発明にあっては、前記記録手段は、前記複数の静止画ファイル及び１つの音声ファイルのうちの少なくとも１つのファイル中に、前記静止画ファイルの再生時間間隔を示す情報を挿入して記録する。したがって、再生時においてこの再生時間間隔を示す情報に基づき、静止画ファイルに基づく画像を精度よく順次切り換えて再生表示することが可能となる。
【００１４】
また、請求項４に係る発明にあっては、前記記録手段は、前記複数の静止画ファイルのいずれか１つのファイル名を前記音声ファイルのファイル名と同一とすることにより、両者を関連付ける。したがって、ファイル名を同一にするという簡単な処理により、複数の静止画ファイルと１つ音声ファイルとを関連付けることができる。
【００１５】
また、請求項５の発明に係る画像再生装置にあっては、複数の静止画ファイルと１つの音声ファイルとを関連付けて記録する記録手段と、この記録手段に記録されている複数の静止画ファイルに基づく画像を順次切り換えて再生表示する画像再生手段と、この画像再生手段により再生表示される静止画ファイルと関連付けられて前記記録手段に記録されている１つの音声ファイルに基づき、音声を再生する音声再生手段とを備える。したがって、請求項１に係る発明と同様に、音声付きで高画質の擬似的な動画を表示し、あるいは高画質の静止画を表示させることができる。
【００１６】
また、請求項６の発明に係る画像再生装置にあっては、前記画像再生手段は、前記複数の静止画ファイル及び１つの音声ファイルのうちの少なくとも１つのファイル中に含まれている前記静止画ファイルの再生時間間隔を示す情報に基づき、該静止画ファイルの切り換え再生タイミングを制御する。したがって、予めファイルに含まれている静止画ファイルの再生時間間隔を示す情報に基づき、精度よく静止画ファイルに基づく画像を順次切り換えて再生表示することが可能となる。
【００１７】
また、請求項７の発明に係る画像再生装置にあっては、前記画像再生手段と前記音声再生手段とは、前記静止画ファイルに基づく画像が表示されている状態におけるユーザによる音声再生指示に応答して、前記複数の静止画ファイルに基づく画像の再生表示と音声ファイルに基づく音声の再生とを開始する。したがって、ユーザは表示されている静止画ファイルを見て、当該静止画ファイルが含まれている複数の静止画ファイルの音声付き動画表示を希望する場合には、音声再生指示を行うことにより、複数の静止画ファイルによる希望の擬似的な動画を表示させることができる。
【００１８】
また、請求項８に係る発明は、記録装置と再生装置とを備える撮像記録装置であって、前記記録装置は、音声を検出する音声検出手段と、被写体を撮像する撮像手段と、この撮像手段により撮像された時間的に連続する複数の静止画毎に、静止画ファイルを作成する静止画ファイル作成手段と、前記音声検出手段により検出された音声と、前記時間的に連続する複数の静止画とに基づき、１つの音声付き動画ファイルを作成する音声付き動画ファイル作成手段と、前記静止画ファイル作成手段により作成された複数の静止画ファイルと前記音声付き動画ファイル作成手段により作成された１つの音声付き動画ファイルとを関連付けて記録する記録手段とを備え、前記再生装置は、前記記録手段に記録されている複数の静止画ファイルに基づく連写画像を表示する場合、この静止画ファイルと関連付けられて前記記録手段に記録されている１つの音声付き動画ファイルに基づき、画像と音声とを再生する再生手段を備える。
【００１９】
したがって、記録時に記録装置が動作すると、撮像された時間的に連続する複数の静止画毎に、静止画ファイルが作成されるとともに、検出された音声と、前記時間的に連続する複数の静止画とに基づき、１つの音声付き動画ファイルを作成する音声付き動画ファイルが作成され、複数の静止画ファイルと１つの音声付き動画ファイルとが関連付けられて記録される。そして、再生時に再生装置が動作すると、複数の静止画ファイルに基づく連写画像を表示する場合、この静止画ファイルと関連付けられて記録されている１つの音声付き動画ファイルに基づき、画像と音声とが再生される。このとき、動画ファイル中の画像は、時間的には静止画ファイルと同様のタイミングで連続するものであるから、静止画のデータを間引きすることなく作成でき、充分な画像データサイズを有し得る。よって、高画質で動画を表示することができ、静止画を表示させた際にも高画質となる。したがって、音声を伴う高画質の動画を表示し、あるいは高画質の静止画を表示させることができる。さらに、音声付き動画ファイルを単に再生するだけで済むので、音声付き動画再生を行なう際の制御を大幅に簡略化することができる。
【００２０】
また、請求項９の発明に係る撮像記録装置にあっては、音声を検出する音声検出手段と、被写体を撮像する撮像手段と、この撮像手段により撮像された時間的に連続する複数の静止画毎に、静止画ファイルを作成する静止画ファイル作成手段と、前記音声検出手段により検出された音声と、前記時間的に連続する複数の静止画とに基づき、１つの音声付き動画ファイルを作成する音声付き動画ファイル作成手段と、前記静止画ファイル作成手段により作成された複数の静止画ファイルと前記音声付き動画ファイル作成手段により作成された１つの音声付き動画ファイルとを関連付けて記録する記録手段とを備える。
【００２１】
したがって、撮像された時間的に連続する複数の静止画毎に、静止画ファイルが作成されるとともに、検出された音声と、前記時間的に連続する複数の静止画とに基づき、１つの音声付き動画ファイルが作成され、複数の静止画ファイルと１つの音声付き動画ファイルとが関連付けられて記録される。動画ファイル中の画像は、時間的には静止画ファイルと同様のタイミングで連続するものであるから、静止画のデータを間引きすることなく作成でき、充分な画像データサイズを有し得る。よって、高画質で動画を表示することができ、静止画を表示させた際にも高画質となる。したがって、音声を伴う高画質の動画を表示し、あるいは高画質の静止画を表示させることができる画像及び音声の記録が可能となる。
【００２２】
また、請求項１０の発明に係る撮像記録装置にあっては、前記記録手段は、前記複数の静止画ファイルのいずれか１つのファイル名を前記音声付き動画ファイルのファイル名と同一とすることにより、両者を関連付ける。したがって、ファイル名を同一にするという簡単な処理により、複数の静止画ファイルと１つ音声付き動画ファイルとを関連付けることができる。
【００２３】
また、請求項１１に係る発明にあっては、時間的に連続する複数の静止画毎に作成された複数の静止画ファイルと、前記時間的に連続する複数の静止画と音声とに基づき作成された１つの音声付き動画ファイルとが関連付けられて記録された記録手段を備えた画像再生装置であって、前記記録手段に記録されている複数の静止画ファイルに基づく連写画像を表示する場合、この静止画ファイルと関連付けられている前記１つの音声付き動画ファイルに基づき、画像と音声とを再生する再生手段を備える。したがって、動画ファイル中の画像は、時間的には静止画ファイルと同様のタイミングで連続するものであるから、静止画のデータを間引きすることなく作成でき、充分な画像データサイズを有し得る。よって、高画質で動画を表示することができ、静止画を表示させた際にも高画質となる。したがって、音声を伴う高画質の動画を表示し、あるいは高画質の静止画を表示させることができる。
【００２４】
また、請求項１２の発明に係る画像再生装置にあっては、前記再生手段は、前記静止画ファイルに基づく画像が表示されている状態におけるユーザによる音声再生指示に応答して、音声付き動画ファイルに基づき、前記画像と音声の再生を開始する。したがって、ユーザは表示されている静止画ファイルを見て、当該静止画ファイルが含まれている音声付き動画の表示を希望する場合には、音声再生指示を行うことにより、希望の音声付き動画を表示させることができる。
【００２５】
また、請求項１３の発明に係るプログラムにあっては、音声を検出する音声検出手段と、被写体を撮像する撮像手段とを備える撮像記録装置が有するコンピュータを、前記音声検出手段により検出された音声に基づき１つの音声ファイルを作成する音声ファイル作成手段と、前記撮像手段により撮像された時間的に連続する複数の静止画毎に、静止画ファイルを作成する静止画ファイル作成手段と、前記音声ファイル作成手段により作成された１つの音声ファイルと前記静止画ファイル作成手段により作成された複数の静止画ファイルとを関連付けて記録させる記録制御手段として機能させる。したがって、前記コンピュータがこのプログラムに従って処理を実行することにより、請求項２記載の発明と同様の作用効果を奏する。
【００２６】
また、請求項１４の発明に係るプログラムにあっては、画像再生装置が有するコンピュータを、記録手段に記録されている複数の静止画ファイルに基づく画像を順次切り換えて再生表示させる画像再生制御手段と、この画像再生制御手段により再生表示される静止画ファイルと関連付けられて前記記録手段に記録されている１つの音声ファイルに基づき、音声を再生させる音声再生制御手段として機能させる。したがって、前記コンピュータがこのプログラムに従って処理を実行することにより、請求項５記載の発明と同様の作用効果を奏する。
【００２７】
また、請求項１５の発明に係るプログラムにあっては、音声を検出する音声検出手段と、被写体を撮像する撮像手段とを備える撮像記録装置が有するコンピュータを、前記撮像手段により撮像された時間的に連続する複数の静止画毎に、静止画ファイルを作成する静止画ファイル作成手段と、前記音声検出手段により検出された音声と、前記時間的に連続する複数の静止画とに基づき、１つの音声付き動画ファイルを作成する音声付き動画ファイル作成手段と、前記静止画ファイル作成手段により作成された複数の静止画ファイルと前記音声付き動画ファイル作成手段により作成された１つの音声付き動画ファイルとを関連付けて記録させる記録制御手段として機能させる。したがって、前記コンピュータがこのプログラムに従って処理を実行することにより、請求項９記載の発明と同様の作用効果を奏する。
【００２８】
また、請求項１６の発明に係るプログラムにあっては、時間的に連続する複数の静止画毎に作成された複数の静止画ファイルと、前記時間的に連続する複数の静止画と音声とに基づき作成された１つの音声付き動画ファイルとが関連付けられて記録された記録手段からの画像再生装置が有するコンピュータを、前記記録手段に記録されている複数の静止画ファイルに基づく連写画像を表示する場合、この静止画ファイルと関連付けられている前記１つの音声付き動画ファイルに基づき、画像と音声とを再生させる再生制御手段として機能させる。したがって、前記コンピュータがこのプログラムに従って処理を実行することにより、請求項１１記載の発明と同様の作用効果を奏する。
【００２９】
【発明の実施の形態】
【００３０】
以下、本発明の一実施の形態を図にしたがって説明する。
（第１の実施の形態）
図１は、本発明の撮像記録装置である電子スチルカメラ１の概略構成を示すブロック図である。この電子スチルカメラ１は切り換え可能な音声無し静止画撮影モードと、音声付き静止画撮影モード、及び音声付き動画撮影モード等を備えたものであって、撮像手段であるＣＣＤ２とＤＳＰ／ＣＰＵ３とを有している。ＤＳＰ／ＣＰＵ３は、画像データの圧縮・伸張、音声データの処理を含む各種のデジタル信号処理機能を有するとともに電子スチルカメラ１の各部を制御するワンチップマイコンである。
【００３１】
ＤＳＰ／ＣＰＵ３には、ＣＣＤ２を駆動するＴＧ（Ｔｉｍｉｎｇ　Ｇｅｎｅｒａｔｏｒ）４が接続されており、ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。
【００３２】
ＤＳＰ／ＣＰＵ３には、表示装置６、キー入力部７、時計部８、音声処理部９が接続されるとともに、アドレス・データバス１０を介してバッファメモリ（ＤＲＡＭ）１１、内蔵フラッシュメモリ１２、保存メモリ１３が接続されている。
バッファメモリ１１は、ＣＣＤ２により撮像された後デジタル化された被写体の画像データ等を一時保存するバッファであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画ファイルや動画ファイルとして保存メモリ１３に記録される。内蔵フラッシュメモリ１２には、ＤＳＰ／ＣＰＵ３の動作プログラムや各部の制御に使用する各種データが記憶されており、ＤＳＰ／ＣＰＵ３は、前記動作プログラムに従い動作することにより、音声ファイル作成手段、静止画ファイル作成手段、音声付き動画ファイル作成手段、記録制御手段、画像再生制御手段、音声再生制御手段等として機能する。
【００３３】
表示装置６は、カラーＬＣＤとその駆動回路とを含み、撮影待機状態にあるときにはＣＣＤ２によって撮像された被写体画像をスルー画像として表示し、記録画像の再生時には保存メモリ１３から読み出され伸張された記録画像を表示する。キー入力部７は、シャッタキー、電源キー、ＭＥＮＵキー、十字キー等の複数の操作キーを含み、使用者によるキー操作に応じたキー入力信号をＤＳＰ／ＣＰＵ３に出力する。時計部８は日付及び時刻をカウントするカレンダー機能と時計機能とを有しており、撮影動作時等に必要に応じて日付データ及び時刻データをＤＳＰ／ＣＰＵ３へ送る。時計部８は後述する連写間隔を計測する際にも用いられる。音声処理部９は、内蔵マイク、アンプ、Ａ／Ｄ変換器、内蔵スピーカ等を含み、音声付き撮影モードでの撮影時に内蔵マイクに入力した音声をデジタル信号に変換してＤＳＰ／ＣＰＵ３へ送る。ＤＳＰ／ＣＰＵ３へ送られた音声データは所定のフォーマットで音声ファイルに圧縮されるとともに、後述するように複数の静止画ファイルと関連付けられて保存メモリ１３に記録される。記録された音声ファイルは対応する静止画ファイルと共に再生され、内蔵スピーカから音声出力される。
【００３４】
次に、以上の構成からなる電子スチルカメラ１における本発明の動作を説明する。音声付き静止画撮影モードが設定されると、ＤＳＰ／ＣＰＵ３は、前記プログラムに基づき図２に示すフローチャートに従った処理を実行する。すなわち、ＣＣＤ２によって撮像された被写体画像をスルー画像として表示装置６に表示し（ステップＳ１０１）、シャッタキーが押下されるまで待機する（ステップＳ１０２）。そして、シャッターキーが押下されたならば、音声録音を開始して（ステップＳ１０３）、音声処理部９の内蔵マイクで検出されてデジタル信号に変換された音声データをバッファメモリ１１に記憶させる。
【００３５】
これと同時に、静止画撮影処理を開始し（ステップＳ１０４）、ＣＣＤ２により撮像された後デジタル化された被写体の静止画データをバッファメモリ１１に一時保存させる。次に、この一画面分の静止画の撮影処理が終了したか否かを判断し（ステップＳ１０５）、この撮影処理が終了したならば、シャッターキーの押下が継続中であるか否かを判断する（ステップＳ１０６）。そして、シャッターキーが押下中である間、ステップＳ１０４〜Ｓ１０６のループを繰り返す。
【００３６】
したがって、シャッターキーの押下を継続すると、ステップＳ１０４〜Ｓ１０６のループが複数回実行されることとなり、撮影処理間隔で時間的に連続した複数枚の静止画データ（連写画像データ）がバッファメモリ１１に一時保存されることとなる。このとき、当該画像データがバッファメモリ１１に保存され始めた時点から、保存を終了して次の画像がバッファメモリ１１に保存され始める時点までの時間間隔である連写間隔もバッファメモリ１１に保存される。無論、シャッターキーを瞬時に操作した場合には、単一の静止画データのみがバッファメモリ１１に保存されることとなり、また、この場合には連写間隔が保存されることはない。
【００３７】
そして、ユーザがシャッターキーから指を離すと、ステップＳ１０６からステップＳ１０７に進み連写か否か、つまりバッファメモリ１１に保存された画像データが複数枚分であるか否かを判断する（ステップＳ１０７）。この判断の結果、バッファメモリ１１に保存された画像データが複数枚分であって連写であった場合には、音声録音を停止した後（ステップＳ１０８）、画像データ毎の複数の静止画ファイル及び１つの音声ファイルを作成する（ステップＳ１０９）。
【００３８】
すなわち、図３に示すように、画像データ毎に、ファイル名２１、連写・単写識別子２２、画像番号２３、連写画像番号２４、連写グループ番号２５、連写間隔２６、音声有無フラグ２７、画像データ２８で構成される静止画ファイル２０を作成する。ここでファイル名２１は、各々異なる当該静止画ファイル２０のファイル名であり、連写・単写識別子２２は当該静止画ファイル２０が連写中の１枚であるか単写であるかを示す識別子（拡張子）である。画像番号２３は連写、単写とは無関係に画像データ２８毎に異なる連続した番号であり、連写画像番号２４は当該連写グループ中において何番目の画像であるかを示す連続番号であり、最初の画像の連写画像番号２４は「１」である。連写グループ番号２５は、複数の静止画ファイル２０で構成される当該連写グループに付された番号であり、連写間隔２６は前述のように、当該画像データがバッファメモリ１１に保存され始めた時点から、保存を終了して次の画像がバッファメモリ１１に保存され始める時点までの時間間隔である。音声有無フラグ２７は音声データ付きか否かを示すフラグであり、画像データ２８は当該静止画データである。
【００３９】
また、前記ステップＳ１０９で同時に作成される音声ファイル３０は、図４に示すように、ファイル名３１、音声識別子３２、音声番号３３、音声データ３４で構成される。ここで、ファイル名３１は後述する次のステップＳ１１０で設定されるファイル名であり、音声識別子３２は当該ファイルが音声ファイル３０であることを示す識別子（拡張子）である。音声番号３３は連写、単写とは無関係に音声データ３４毎に異なる連続した番号であり、音声データ３４は当該音声データである。
【００４０】
そして、続くステップＳ１１０においては、当該連写グループに属する複数の静止画ファイル２０及び１つの音声ファイル３０を関連付けて保存メモリ１３に記録する。すなわち、本実施の形態においては、当該連写グループにおける最初の静止画ファイル２０のファイル名２１と、音声ファイル３０のファイル名３１とを同一にして、当該連写グループを構成する複数の静止画ファイル２０と音声ファイル３０とを保存メモリ１３に記録することにより、両者を関連付けて記録する。
【００４１】
他方、ステップＳ１０７での判断の結果、バッファメモリ１１に保存された画像データが１枚分であって単写であった場合には、１０秒が経過したか否かを判断して（ステップＳ１１１）、シャッターキーから指を離してから１０秒間は音声録音を継続する。そして、１０秒が経過したならば音声録音を停止した後（ステップＳ１１２）、１つの静止画ファイル及び１つの音声ファイルを作成する（ステップＳ１１３）。
【００４２】
このステップＳ１１３で作成される静止画ファイルは、図３に示した静止画ファイル２０とは若干異なり、連写画像番号２４、連写グループ番号２５、連写間隔２６は含まれておらず、ファイル名２１、連写・単写識別子２２、画像番号２３、音声有無フラグ２７、画像データ２８のみで構成される。しかし、音声ファイルは、図４に示した音声ファイル３０と同様であって、ファイル名３１、音声識別子３２、音声番号３３、音声データ３４で構成される。
【００４３】
そして、続くステップＳ１１４においては、１つの静止画ファイル及び１つの音声ファイルを関連付けて保存メモリ１３に記録する。すなわち、本実施の形態においては、前述のように静止画ファイルのファイル名２１と、音声ファイル３０のファイル名３１とを同一にして、１つの静止画ファイルと音声ファイルとを保存メモリ１３に記録することにより、両者を関連付けて記録する。
【００４４】
なお、静止画ファイルと音声ファイルとを関連付けて記録する方法は、上記に限定されず、音声ファイル中に関連する連写画像のグループ番号、又は画像番号（連写画像の場合は最初の静止画像の番号）を埋め込むようにしたり、音声ファイルを作成せずに静止画ファイル中に音声データを埋め込むようにしてもよい。
【００４５】
また、再生モードが設定されると、ＤＳＰ／ＣＰＵ３は、前記プログラムに基づき図５に示すフローチャートに従った処理を実行する。すなわち、表示装置６に上下キーの操作に応じて画像を、例えば画像番号２３順にスクロール表示させ、選択操作に応じて表示する画像を選択する（ステップＳ２０１）。次に、この選択した画像が音声付き連写画像か否かを、連写・単写識別子２２や音声有無フラグ２７等から判断し（ステップＳ２０２）、音声付き連写画像以外の画像であった場合には、選択された画像に応じて、音声付き静止画像、音声無し静止画像、音声付き動画像、音声無し連写画像の再生処理等へ移行する。
【００４６】
選択した画像が音声付き連写画像であった場合には、「音声付きです。音声を再生したい場合には右ボタンを押して下さい」等の、選択された静止画像を再生表示すると同時に音声再生が可能である旨のメッセージを表示装置６に表示させる（ステップＳ２０３）。次に、前記「右ボタン」の操作により音声再生が指示されたか否かを判断し（ステップＳ２０４）、音声再生指示がない場合にはユーザにより再度の画像選択操作がなされたか否かを判断する（ステップＳ２０５）。そして、画像選択操作がなされない場合にはステップＳ２０３に戻り、再度の画像選択操作がなされた場合にはリターンしてステップＳ２０１からの処理を再度実行する。
【００４７】
また、ステップＳ２０４での判断の結果、音声再生指示がなされた場合には、前述のステップＳ２０１で選択された静止画像と同一の連写グループ番号２５で、連写画像番号２４が「１」の静止画ファイル２０を検索すると同時に、そのファイル名２１と同一ファイル名の音声ファイル３０を検索する（ステップＳ２０６）。これにより、同一の連写グループ番号２５に属する複数の静止画ファイル２０のうち、連写画像番号２４が「１」の静止画ファイル２０と、前述のようにしてこれに関連付けられた音声ファイル３０とが検索されることとなる。
【００４８】
引き続き、この検索したファイル（同一の連写グループ番号２５に属する複数の静止画ファイル２０のうち、連写画像番号２４が「１」の静止画ファイル２０）中の画像データ２８の再生表示を開始すると同時に、検索した音声ファイル３０中の音声データ３４の再生を開始する（ステップＳ２０７）。これにより、表示装置６には、選択された静止画像が属する連写グループであって、連写画像番号２４が「１」の静止画ファイル２０内の画像データに基づく画像が表示され、かつ、音声処理部９の内蔵スピーカからは前記関連付けられた音声ファイル３０内の音声データ３４に基づく音声が放音され始める。
【００４９】
次に、今表示している静止画ファイル２０内の連写間隔２６が経過したか否かを判断し（ステップＳ２０８）、連写時間が経過した時点で（ステップＳ２０８；ＹＥＳ）、当該連写グループにおいて次の連写画像の画像データを有する静止画ファイル２０があるか否かを判断する（ステップＳ２０９）。次の連写画像の画像データを有する静止画ファイル２０がある場合には、当該次の静止画ファイル２０中の画像データ２８の再生表示を開始して（ステップＳ２１０）、ステップＳ２０８からの処理を繰り返す。
【００５０】
これにより、当該連写グループに属する静止画ファイル２０内の画像データ２８に基づく画像が順次連写間隔で表示装置６に切り換え表示されるとともに、音声処理部９の内蔵スピーカからは前記関連付けられた音声ファイル３０内の音声データ３４に基づく音声が放音され続ける。
【００５１】
このとき、表示装置６に切り換え表示される静止画ファイル２０内の画像データ２８は、単写の画像データと同じ画像データサイズ（動画に含まれる静止画像よりも大きな画像データサイズ）を有し得る。したがって、表示装置６には、高画質の静止画像が連写時間間隔で切り換え表示されることとなり、これにより高画質で擬似的な動画を表示することができ、また、静止画として表示させた際にも高画質となる。しかも、音声処理部９の内蔵スピーカからは関連付けられた音声ファイル３０内の音声データ３４に基づく音声が放音され続けることから、音声を伴いつつ高画質の擬似的な動画を表示し、あるいは高画質の静止画を表示させることができる。
【００５２】
そして、当該連写グループに属する全ての静止画ファイル２０内の画像データ２８に基づく画像表示が終了すると（ステップＳ２０９；ＮＯ）、再度の画像選択操作があるまで待機し（ステップＳ２１１）、画像選択操作があったならばリターンしてステップＳ２０１からの処理を再度実行する。
【００５３】
（第２の実施の形態）
【００５４】
図６〜図８は、本発明の第２の実施の形態を示すものであり、連写撮影時に音声付き動画ファイルも作成するようにしたものである。音声付き静止画撮影モードが設定されると、ＤＳＰ／ＣＰＵ３は、前記プログラムに基づき図６に示すフローチャートに従った処理を実行する。すなわち、ＣＣＤ２によって撮像された被写体画像をスルー画像として表示装置６に表示し（ステップＳ３０１）、シャッタキーが押下されるまで待機する（ステップＳ３０２）。そして、シャッターキーが押下されたならば、音声録音を開始して（ステップＳ３０３）、音声処理部９の内蔵マイクで検出されてデジタル信号に変換された音声データをバッファメモリ１１に記憶させる。
【００５５】
これと同時に、静止画撮影処理を開始し（ステップＳ３０４）、ＣＣＤ２により撮像された後デジタル化された被写体の静止画データをバッファメモリ１１に一時保存させる。次に、この一画面分の静止画の撮影処理が終了したか否かを判断し（ステップＳ３０５）、この撮影処理が終了したならば、シャッターキーの押下が継続中であるか否かを判断する（ステップＳ３０６）。そして、シャッターキーが押下中である間、ステップＳ３０４〜Ｓ３０６のループを繰り返す。
【００５６】
したがって、シャッターキーの押下を継続すると、ステップＳ３０４〜Ｓ３０６のループが複数回実行されることとなり、時間的に連続した複数枚の静止画データがバッファメモリ１１に一時保存されることとなる。このとき、当該画像データがバッファメモリ１１に保存され始めた時点から、保存を終了して次の画像がバッファメモリ１１に保存され始める時点までの時間間隔である連写間隔もバッファメモリ１１に保存される。無論、シャッターキーを瞬時に操作した場合には、単一の静止画データのみがバッファメモリ１１に保存されることとなり、また、この場合には連写間隔が保存されることはない。
【００５７】
そして、ユーザがシャッターキーから指を離すと、ステップＳ３０６からステップＳ３０７に進み連写か否か、つまりバッファメモリ１１に保存された画像データが複数枚分であるか否かを判断する（ステップＳ３０７）。この判断の結果、バッファメモリ１１に保存された画像データが複数枚分であって連写であった場合には、音声録音を停止した後（ステップＳ３０８）、画像データ毎に１つの静止画ファイル、つまり複数の静止画ファイルを作成する（ステップＳ３０９）。
【００５８】
このステップＳ３０９で作成される静止画ファイルは前述の図３に示した静止画ファイル２０とは若干異なり、連写間隔２６は含まれておらず、ファイル名２１、連写・単写識別子２２、画像番号２３、連写画像番号２４、連写グループ番号２５、音声有無フラグ２７、画像データ２８で構成される。
【００５９】
次に、連写画像つまりバッファメモリ１１に保存された複数枚分の画像データ及び、音声データつまりステップＳ３０３で録音を開始しステップＳ３０８で録音を停止するまでバッファメモリ１１に一時保存した音声データを用いて、音声付き動画ファイルを作成する（ステップＳ３１０）。図７に示すように、この音声付き動画ファイル４０は、ファイル名４１、音声付き動画識別子４２、撮影間隔（フレームレート）４３、音声データ４４、動画データ４５で構成される。ここで、ファイル名４１は後述する次のステップＳ３１１で設定されるファイル名であり、音声識別子４２は当該ファイルが音声付き動画ファイル４０であることを示す識別子（拡張子）である。撮影間隔（フレームレート）４３は、前述の第１の実施の形態で示した連写間隔と同様の時間間隔であり、音声データ４４は、ステップＳ３０３で録音を開始しステップＳ３０８で録音を停止するまでバッファメモリ１１に一時保存した音声データである。また、動画データ４５は、前記連写画像番号２４に従った順序で読み出し可能に記録された当該連写グループに属する複数の静止画データで構成される。
【００６０】
そして、続くステップＳ３１１においては、ステップＳ３０９で作成した複数の静止画ファイルと、ステップＳ３１０で作成した音声付き動画ファイル４０とを関連付けて保存メモリ１３に記録する。すなわち、本実施の形態においても前述した実施の形態と同様に、当該連写グループにおける最初の静止画ファイル２０のファイル名２１と、音声付き動画ファイル４０のファイル名４１とを同一にして、当該連写グループを構成する複数の静止画ファイル２０と音声付き動画ファイル４０とを保存メモリ１３に記録することにより、両者を関連付けて記録する。
【００６１】
しかし、連写グループを構成する全ての静止画ファイル２０中に音声付き動画ファイル４０のファイル名４１（又は他の特定可能な情報でもよい）を埋め込むようにしてもよい。このようにすれば、後述する再生時において、連写グループを構成する複数の静止画ファイル２０のいずれが選択された場合であっても、直接的に関連付けられた音声付き動画ファイル４０を検索（サーチ）することが可能となる。
【００６２】
他方、ステップＳ３０７での判断の結果、バッファメモリ１１に保存された画像データが１枚分であって単写であった場合には、ステップＳ３１２〜Ｓ３１５において、前述した図２のステップＳ１１１〜Ｓ１１４と同様の処理を実行する。
【００６３】
また、再生モードが設定されると、ＤＳＰ／ＣＰＵ３は、前記プログラムに基づき図８に示すフローチャートに従った処理を実行する。すなわち、表示装置６に上下キーの操作に応じて画像を、例えば画像番号２３順にスクロール表示させ、選択操作に応じて表示する画像を選択する（ステップＳ４０１）。次に、この選択した画像が音声付き連写画像か否かを連写・単写識別子２２や音声有無フラグ２７等から判断し（ステップＳ４０２）、音声付き連写画像以外の画像であった場合には、選択された画像に応じて、他の再生処理に移行する。
【００６４】
選択した画像が音声付き連写画像であった場合には、「音声付きです。音声を再生したい場合には右ボタンを押して下さい」等の、選択された静止画像を再生表示すると同時に音声再生が可能である旨のメッセージを表示装置６に表示させる（ステップＳ４０３）。次に、前記「右ボタン」の操作により音声再生が指示されたか否かを判断し（ステップＳ４０４）、音声再生指示がない場合にはユーザにより再度の画像選択操作がなされたか否かを判断する（ステップＳ４０５）。そして、画像選択操作がなされない場合にはステップＳ４０３に戻り、再度の画像選択操作がなされた場合にはリターンしてステップＳ４０１からの処理を再度実行する。
【００６５】
また、ステップＳ４０４での判断の結果、音声再生指示がなされた場合には、前述のステップＳ４０１で選択された静止画像と同一の連写グループ番号２５で、連写画像番号２４が「１」の静止画ファイル２０のファイル名２１と同じファイル名４１を有するの音声付き動画ファイル４０を検索する（ステップＳ４０６）。これにより、選択された静止画像と前述のようにして関連付けられた音声付き動画ファイル４０が検索されることとなる。
【００６６】
引き続き、この検索した音声付き動画ファイル４０の再生を開始する。すなわち、当該動画ファイル４０内の動画データ（複数の静止画データ）４５を順次読み出して、表示装置６に表示させるとともに、音声データ４４に基づく音声を音声処理部９の内蔵スピーカで再生する。これにより、表示装置６には、選択された静止画像が含まれている動画データ４５に基づき撮影間隔４３で変化する動画が表示され、かつ、音声処理部９の内蔵スピーカからは音声データ４４に基づく音声が放音され始める。
【００６７】
次に、再生している音声付き動画ファイルの再生が終了したか否かを判断し（ステップＳ４０８）、終了するまで再生を継続する。これにより、当該音声付き動画ファイル４０内の撮影間隔４３が示すタイミングで変化する、動画データ４５に基づく動画が表示装置６に表示されるとともに、音声処理部９の内蔵スピーカからは音声データ４４に基づく音声が放音され続ける。
【００６８】
このとき、一般的な動画に含まれる静止画像は、撮影スピードが優先されるため単写、連写画像よりも画像データサイズが小さいが、音声付き動画ファイル４０の動画データ４５の各静止画像は、単写の画像データと同じ画像データサイズを有し得る。したがって、表示装置６には、高画質の静止画像が撮影間隔４３で切り換え表示されることとなり、これにより高画質の動画を表示することができ、静止画を表示させた際にも高画質となる。しかも、音声処理部９の内蔵スピーカからは音声付き動画ファイル４０内の音声データ４４に基づく音声が放音され続けることから、音声を伴いつつ高画質の動画を表示し、あるいは高画質の静止画を表示させることができる。
【００６９】
なお、連写画像（複数の静止画ファイル）に関連付けて記録する音声付き動画ファイル４０内の動画データ４５の各静止画像は、単写、連写画像よりも画像データサイズが小さいものであってもよい。この場合、音声付き動画を再生する際には画質が若干落ちてしまうものの、連写画像（複数の静止画ファイル）を利用して高画質の擬似的な動画あるいは静止画を表示させることができるので、連写撮影と音声付動画撮影の欠点を解消するという目的を達成することができる。
【００７０】
そして、当該音声付き動画ファイル４０内の動画データ４５に基づく動画表示が終了すると（ステップＳ４０８；ＹＥＳ）、ステップＳ４０３からの処理を再度実行する。
【００７１】
【発明の効果】
【００７２】
以上説明したように請求項１に係る発明によれば、再生される複数の静止画ファイルと関連付けられている１つの音声ファイルに基づき、音声が再生されることにより、音声付きの疑似的な動画を表示することができる。この擬似的な動画を構成する各静止画は、静止画のデータを間引きすることなく作成された静止画ファイルに基づくものであって、充分な画像データサイズを有することから、高画質で擬似的な動画を表示することができ、静止画を表示させた際にも高画質となる。したがって、音声付きで高画質の擬似的な動画を表示し、あるいは高画質の静止画を表示させることができる。
【００７３】
また、請求項２及び請求項１３に係る発明によれば、複数の静止画ファイルは、静止画のデータを間引きすることなく作成でき、充分な画像データサイズを有することから、高画質で擬似的な動画を表示することができ、静止画を表示させた際にも高画質となる。したがって、音声付きで高画質の擬似的な動画を表示し、あるいは高画質の静止画を表示させることができる画像及び音声の記録が可能となる。
【００７４】
また、請求項５及び請求項１４に係る発明によれば、音声付きで高画質の擬似的な動画を表示し、あるいは高画質の静止画を表示させることができる。
【００７５】
また、請求項８に係る発明によれば、動画ファイル中の画像は、時間的には静止画ファイルと同様のタイミングで連続するものであるから、静止画のデータを間引きすることなく作成でき、充分な画像データサイズにすることができる。よって、高画質で動画を表示することができ、静止画を表示させた際にも高画質となる。したがって、音声を伴う高画質の動画を表示し、あるいは高画質の静止画を表示させることができる。さらに、音声付き動画ファイルを単に再生するだけで済むので、音声付き動画再生を実行する際の制御を大幅に簡略化することができる。
【００７６】
また、請求項９及び請求項１５に係る発明によれば、動画ファイル中の画像は、時間的には静止画ファイルと同様のタイミングで連続するものであるから、静止画のデータを間引きすることなく作成でき、充分な画像データサイズを有し得る。よって、高画質で動画を表示することができ、静止画を表示させた際にも高画質とすることができる。したがって、音声を伴う高画質の動画を表示し、あるいは高画質の静止画を表示させることができる画像及び音声の記録が可能となる。
【００７７】
また、請求項１１及び請求項１６に係る発明によれば、動画ファイル中の画像は、時間的には静止画ファイルと同様のタイミングで連続するものであるから、静止画のデータを間引きすることなく作成でき、充分な画像データサイズを有し得る。よって、高画質で動画を表示することができ、静止画を表示させた際にも高画質とすることができる。したがって、音声を伴う高画質の動画を表示し、あるいは高画質の静止画を表示させることができる。
【図面の簡単な説明】
【図１】本発明の各実施の形態に共通する電子スチルカメラのブロック図である。
【図２】第１の実施の形態における音声付き静止画像撮影モード時の処理手順を示すフローチャートである。
【図３】静止画ファイルのファイル構成図である。
【図４】音声ファイルのファイル構成図である。
【図５】第１の実施の形態における再生モード時の処理手順を示すフローチャートである。
【図６】第２の実施の形態における音声付き静止画像撮影モード時の処理手順を示すフローチャートである。
【図７】音声付き動画ファイルのファイル構成図である。
【図８】第２の実施の形態における再生モード時の処理手順を示すフローチャートである。
【符号の説明】
１　　電子スチルカメラ
２　　ＣＣＤ
３　　ＤＳＰ／ＣＰＵ
４　　ＴＧ
５　　ユニット回路
６　　表示装置
７　　キー入力部
８　　時計部
９　　音声処理部
１１　　バッファメモリ
１２　　内蔵フラッシュメモリ
１３　　保存メモリ
２０　　静止画ファイル
２１　　ファイル名
２２　　連写・単写識別子
２３　　画像番号
２４　　連写画像番号
２５　　連写グループ番号
２６　　連写間隔
２７　　音声有無フラグ
２８　　画像データ
３０　　音声ファイル
３１　　ファイル名
３２　　音声識別子
３３　　音声番号
３４　　音声データ
４０　　音声付き動画ファイル
４１　　ファイル名
４２　　音声付き動画識別子
４３　　撮影間隔
４４　　音声データ
４５　　動画データ
【図１】
2004088518.tif 000003
【図２】
2004088518.tif 000004
【図３】
2004088518.tif 000005
【図４】
2004088518.tif 000006
【図５】
2004088518.tif 000007
【図６】
2004088518.tif 000008
【図７】
2004088518.tif 000009
【図８】
2004088518.tif 000010